(57)【要約】【課題】レーザ光によりレーベル情報を書き換えすることができるレーベル記録層を有する光記録媒体を提供する。【解決手段】第１基板６Ａの表面に第１主情報記録層３Ａが積層され、前記第１基板の裏面に第１レーベル記録層７Ａ、第１反射層８Ａが順次積層された第１光記録媒体基板と、第２基板６Ｂの表面に第２主情報記録層３Ｂが積層され、前記第２基板の裏面に第２レーベル記録層７Ｂ、第２反射層８Ｂが順次積層された第２光記録媒体基板と、を前記第１反射層側を前記第２反射層側に対向配置させて接着剤９を用いて貼り合わせてなり、前記第１反射層側又は前記第２反射層側からレーザ光を照射して記録再生される光記録媒体において、前記第１主情報記録層と前記第１レーベル記録層との間及び前記第２主情報記録層と前記第２レーベル記録層との間は、所定の間隔を有している。【選択図】　図１
2004095099.tif 000002
【特許請求の範囲】
【請求項１】
第１基板の表面に第１主情報記録層が積層され、前記第１基板の裏面に第１レーベル記録層、第１反射層が順次積層された第１光記録媒体基板と、第２基板の表面に第２主情報記録層が積層され、前記第２基板の裏面に第２レーベル記録層、第２反射層が順次積層された第２光記録媒体基板と、を前記第１反射層側を前記第２反射層側に対向配置させて接着剤を用いて貼り合わせてなり、前記第１反射層側又は前記第２反射層側からレーザ光を照射して記録再生される光記録媒体において、
前記第１主情報記録層と前記第１レーベル記録層との間及び前記第２主情報記録層と前記第２レーベル記録層との間は、所定の間隔を有していることを特徴とする光記録媒体。
【発明の詳細な説明】
【０００１】
【発明の属する技術分野】
本発明は、レーザ光によりレーベル情報を視認可能で書き換え可能なレーベル記録層を有する光記録媒体に関するものである。
【０００２】
【従来の技術】
一般に、可換性が重要視される大容量の書き換え型の光記録媒体の一例である光ディスクにおいて、主たる情報はファイルデータとして所定のデータエリアに記録されるが、そのファイルデータの内容に関しては光ディスク単体では視認できず、光ディスクのドライブ装置等で再生しなければ判別できないか、もしくはペン、シール等でファイルデータに関するレーベル情報を別途作成して光ディスク自体に貼り付ける等しなければならなかった。
特に高容量のため両面にデータを記録できる光ディスクの場合には、カートリッジがなければレーベル情報を表記することが不可能であった。
【０００３】
【発明が解決しようとする課題】
このように書き換え型の光ディスクのレーベル情報を記録内容とともに書き換える場合には、手書き、シールの貼り換え等の動作が必要であり、この貼り換え動作等に手間がかかり、場合により光ディスク自体を汚したり傷つけたりすることで、主情報を破壊してしまう等の問題もあった。
また、両面記録型の光ディスクの場合には、レーベル情報を貼り付ける等するためのカートリッジが必要であることもコスト的課題であった。
本発明は、以上のような問題点に着目し、これを有効に解決すべく創案されたものである。本発明の目的は、レーザ光によりレーベル情報を書き換えすることができるレーベル記録層を有する光記録媒体を提供することにある。
【０００４】
【課題を解決するための手段】
請求項１に係る発明は、第１基板の表面に第１主情報記録層が積層され、前記第１基板の裏面に第１レーベル記録層、第１反射層が順次積層された第１光記録媒体基板と、第２基板の表面に第２主情報記録層が積層され、前記第２基板の裏面に第２レーベル記録層、第２反射層が順次積層された第２光記録媒体基板と、を前記第１反射層側を前記第２反射層側に対向配置させて接着剤を用いて貼り合わせてなり、前記第１反射層側又は前記第２反射層側からレーザ光を照射して記録再生される光記録媒体において、前記第１主情報記録層と前記第１レーベル記録層との間及び前記第２主情報記録層と前記第２レーベル記録層との間は、所定の間隔を有していることを特徴とする光記録媒体である。
上記レーベル記録層にレーザ光により光もしくは熱を与えて可逆的に変色或いは復色させることによりレーベル情報を記録、書き換えでき、１台の光ディスクのドライブ装置でレーベル情報の書き換えができる光記録媒体を提供できる。
【０００５】
【発明の実施の形態】
以下に、本発明に係る光記録媒体の一実施例を添付図面に基づいて詳述する。図１は本発明に係る光記録媒体の一例である光ディスクを示す部分拡大断面図である。ここでは、２枚の基板を貼り合わせて２層の記録層を有する貼り合わせ型の光ディスクを例にとってその製法と構造について説明する。両基板の形成方法と、その後の薄膜の形成方法はそれぞれ同じなので、ここでは一緒に説明を行う。
この光ディスクＤの第１及び第２基板６Ａ、６Ｂは、いわゆるスタンパーと呼ばれる、表面にピットや記録溝からなる情報信号を有するニッケルなどでできた金属板を光ディスク成型用金型内に装着し、ポリアクリレート樹脂やポリカーボネート樹脂などを用いて、射出成形もしくは射出圧縮成形によってそれぞれ製作される。射出成形により得られた第１及び第２基板６Ａ、６Ｂは、例えば、直径が１２０ｍｍであり、ディスクの種類により第１及び第２基板６Ａ、６Ｂの厚さは１．２ｍｍ〜０．１ｍｍである。これらの第１及び第２基板６Ａ、６Ｂの一面には、主情報を記録する時に用いるトラッキング及びアドレス情報を持ったピットや記録溝（ウォブル）等の主情報用凹凸１０Ａ、１０Ｂがそれぞれ形成されており、他面にはレーベル情報を記録する時に用いるトラッキング及びアドレス情報を持ったピットや記録溝（ウォブル）等のレーベル情報用凹凸１２Ａ、１２Ｂがそれぞれ形成されている。
【０００６】
上述のように射出成形によって得られた第１及び第２基板６Ａ、６Ｂは、記録型ディスクを製造する場合であれば、その記録方法により主情報用凹凸１０Ａ、１０Ｂ面である情報信号上に、Ａｇ、Ａｌ、Ａｕおよびその合金等からなる熱伝導率の高い熱拡散層５Ａ、５Ｂが形成され、更に、光学的なエンハンスメントと化学劣化を防止する酸化シリコン、窒化シリコン等の保護膜４Ａ、２Ａ及び４Ｂ、２Ｂに挟むようにして無機材料のゲルマニウム、テルル、アンチモン（以下Ｇ　ｅＳｂＴｅ）などからなる相変化系薄膜、有機系材料であるシアニン系色素から　なる色素系薄膜、または無機材料のコバルト、テルビウム、鉄などからなる光磁気記録系薄膜等よりなる主情報記録層３Ａ、３Ｂがそれぞれ成膜される。
その後、紫外線で硬化する透明樹脂を厚み０．０１ｍｍから０．２ｍｍの範囲でスピンコート法等で塗布して薄膜を形成するか、或いは透明保護シート等を接着もしくは固着することによって、透明保護層１Ａ、１Ｂをそれぞれ形成する。
【０００７】
次に、上記第１及び第２基板６Ａ、６Ｂの主情報記録面の裏面側、すなわちレーベル情報用凹凸１２Ａ、１２Ｂ側に第１及び第２レーベル記録層７Ａ、７Ｂをそれぞれ成膜する。更に必要があれば各種染顔料等を含んだ着色層もしくはアルミニウム、銀等の第１及び第２反射層８Ａ、８Ｂを成膜する。これらのレベル記録層や反射層はスピンコート法もしくはスパッタ法等で成膜する。この第１及び第２レーベル記録層７Ａ、７Ｂを着色したい色柄を得るために多層構造にしてもかまわない。最後に上記第１及び第２基板６Ａ、６Ｂ上に上記各層が積層されてなる２枚の第１及び第２光記録媒体基板同士を、その間に嫌気性接着剤９を介在させて接着し、光ディスクＤを完成する。この時、第１及び第２反射層８Ａ、８Ｂ同士を対向するように配置する。この光ディスクＤは両面が記録再生面となって両面よりレーザ光が照射される。尚、この嫌気性接着剤はスピンコート法等で塗布される。
【０００８】
上記第１及び第２レーベル記録層７Ａ、７Ｂは、材料としては温度、光照射等で変色、復色を可能とする例えばロイコ系染料に代表される電子供与性呈色性化合物とフェノール化合物等の電子受容性化合物と溶剤成分として用いられるアルコール等の有機化合物の３成分等を用いたサーモクロミック膜、フルギド化合物　やスピロピラン化合物等のフォトクロミック膜、ポリ（１，４−ベンゼンジチオー　ル−ｃｏ−１，４−ジビニルベンゼン等の相変化膜もしくは、無機系のＡｇＩｎＳｂＴｅ，ＧｅＳ　ｂＴｅ，ＩｎＳｅＯ等の相変化膜などを用いることができる。
この光ディスクＤのように深層記録の場合、本発明の第１及び第２レーベル記録層７Ａ、７Ｂは、ディスクの記録再生面側から視認される必要があるために、上記に示した第１及び第２主情報記録層３Ａ、３Ｂを構成する有機系記録層、相変化型記録層、光磁気記録層及び熱拡散層５Ａ、５Ｂは上記第１及び第２レーベル記録層７Ａ、７Ｂへの書き込みに使用される長波長のレーザ光を４０％以上透過することが望ましく、第１及び第２主情報記録層３Ａ、３Ｂを透過したレーザ光で第１及び第２レーベル記録層７Ａ、７Ｂに対してレーベル記録がなされ、かつ第１及び第２主情報記録層３Ａ、３Ｂに変化を生じさせないようにするためには、数ミクロン以下のピット等で形成された高密度な各主情報記録面（主情報用凹凸１０Ａ、１０Ｂ）と上記第１及び第２レーベル記録層７Ａ、７Ｂとの間でそれぞれ熱干渉および光学干渉しないように両者を０．１ｍｍ以上離す必要がある。
【０００９】
また、第１及び第２レーベル記録層７Ａ、７Ｂへの文字等の書き込み、消去および再生は、レーザ光を用い、レーザ光のパワー、フォーカス等は第１及び第２レーベル記録層７Ａ、７Ｂに最適化し、第１及び第２主情報記録層３Ａ、３Ｂとの間で干渉しないよう設定する。
例えば、公知のロイコ系のサーモクロミック膜は室温Ｔｒｔ以上の温度Ｔｗから　室温Ｔｒｔに急冷することで発色もしくは白濁するので文字等の記録ができ、室温Ｔｒｔと温度Ｔｗとの間の温度Ｔｅから室温Ｔｒｔにすることで透明になり表示の消去を行う。つまりレーザ光のパワーが第１及び第２レーベル記録層７Ａ、７Ｂで温度Ｔｗ、或いは室温Ｔｒｔと温度Ｔｗとの間の温度Ｔｅ　になるように設定することでレーベル表示を書き換えることができる。
【００１０】
また、対物レンズのＮＡが０．６以上でレーザ光の波長が６５０　ｎｍ未満の短波　長レーザ光で記録再生される微細な数ミクロン以下のピットで形成された高密度な主情報記録に対し、第１及び第２レーベル記録層７Ａ、７Ｂに対する記録はレーザ光のビームを絞り込む必要はなく、ＮＡが０．６以下の小さい対物レンズと記録波長λが６５０　ｎｍ以上の長波長のレーザ光を使用すればよい。
第１及び第２レーベル記録層７Ａ、７Ｂに記録するレーベル表示記号を主情報信号ピットに比べて十分大きくすることで、深層記録の場合でも、レーベル信号はＤＣ（直流）を含む超低域成分となり、主情報記録用の主信号との干渉の影響はない。逆に低域信号のみを再生レーザ光より、ローパスフィルタ（Ｌ．Ｐ．Ｆ．）もしくはバンドパスフィルタ（Ｂ．Ｐ．Ｆ　）等で抽出することにより、光ディスクドライブ装置でもレーベル信号の有無を読み取ることは可能である。
【００１１】
レーベル表示信号の第１及び第２レーベル記録層７Ａ、７Ｂへの書き込み内容としては、ドライブ装置内のカレンダによる主データの更新日、ＥＰＧ（電子番組表）から記録タイトル、もしくはキーボード入力による任意のレーベルデータ等から選択した内容の入力を行い、記録すべきレーベル情報をディスクの回転数、ランドプリピット、ウォブル等のプリアドレスから位相を検出し、ピックアップの位置に換算した信号にエンコードして記録することで、個々の光ディスクの記録内容を識別可能にすることができる。
図２は光ディスクＤの平面図を示す。図２に示すように、第１及び第２レーベル記録層７Ａ、７Ｂは、内周側は従来の光ディスク、例えばＤＶＤと誤認識されないように直径が５０ｍｍ以内のリードイン領域２０には反射層を設けないようにして反射率を１０％以下にして、レーベルを書き換えられる領域を直径が５０ｍｍより外周のレーベル記録領域２２とする。ここでは”ＴＩＴＬＥ”のレーベル表示２６がなされている。
【００１２】
次に、上記した光ディスクを実際に作成したので、その製造工程と評価結果について説明する。
＜実施例＞
情報信号として、トラックピッチが０．７４μｍである記録溝を有するスタンパとトラックピッチが０．３２μｍである記録溝を有するスタンパを２枚用いて射出成形機により直径が１２０　ｍｍ、厚さが０．６　ｍｍの両面にトラックを有する光ディスク用の第１及び第２基板６Ａ、６Ｂを成形した。これらの第１及び第２基板６Ａ、６Ｂには記録溝が直径４０ｍｍから直径１１０　ｍｍに施されていた。これらの第１及び第２基板６Ａ、６Ｂを成膜装置に挿入し、トラックピッチが０．３２μｍである面、すなわち主情報用凹凸１０Ａ、１０Ｂ側の面に第１及び第２レーベル記録層７Ａ、７Ｂを記録するレーザ光の波長の透過率が４０％以上の熱拡散層５Ａ、５ＢとしてＡｇを９５％以上含むＡｇ系合金を厚さ８ｎｍで成膜し、次にＺｎＳ−ＳｉＯ２よりなる
誘電体の保護膜４Ａ、２Ａおよび４Ｂ、２Ｂのそれぞれの間に挟むようにして、ＧｅＳｂＴｅからなる相変化形の第１及び第２主情報記録層３Ａ、３Ｂを直径３８ｍｍから直径１１０　ｍｍの範囲で厚さ８ｎｍの成膜を行った。成膜後この第１及び第２基板６Ａ、６Ｂの第１及び第２主情報記録層３Ａ、３Ｂを上にしてスピナーに装着し、直径２０ｍｍから直径１２０　ｍｍの範囲に紫外線硬化樹脂で透明保護層１Ａ、１Ｂを１００μｍの厚さにそれぞれ塗布しこれに紫外線を照射して硬化させた。その後この第１及び第２基板６Ａ、６Ｂのトラックピッチが０．７４μｍである面、すなわちレーベル記録情報用凹凸１２Ａ、１２Ｂの面にスピナーを用いてサーモクロミック膜を１０μｍ塗布して第１及び第２レーベル記録層７Ａ、７Ｂを形成した。そして、第１及び第２基板６Ａ、６Ｂを、再び成膜装置に挿入し、Ａｌ系合金を１００　ｎｍの厚さで成膜して第１及び第２反射層８Ａ、８Ｂを形成した。このようにして作製した２枚の第１及び第２光記録媒体基板をアルミニウム面である第１及び第２反射層８Ａ、８Ｂを内側にし、嫌気性接着剤９を用いて貼り合わせて光ディスクＤを作製した。
【００１３】
出来上がった光ディスクＤを記録装置に装着し、対物レンズのＮＡが０．８５、記録波長が４０５　ｎｍのレーザ光で直径４０ｍｍから直径１１０　ｍｍの間に光ディスクＤに記録すべき主情報をトラックピッチが０．３２μｍの記録溝内に記録した。その後、対物レンズのＮＡが０．６、記録波長が６５０　ｎｍのレーザ光を発する光学ヘッド　を直径８０ｍｍから９０ｍｍの間に移動し、フォーカスを第１及び第２レーベル記録層７Ａ、７Ｂにそれぞれ調整し、それぞれのレーベル情報の記録を行った。この結果、第１及び第２主情報記録層３Ａ、３Ｂに何ら悪影響を与えることなくレーベル情報の記録を行うことができた。また、レーベル表記は良好な視認性を得ることができた。
尚、上記実施例では主情報記録層を２層有する貼り合わせ型の光ディスクを例にとって説明したが、これに限定されず、主情報記録層が１層の光ディスクでも本発明を適用できるのは勿論である。
【００１４】
【発明の効果】
以上説明したように、本発明の光記録媒体によれば、１台の光記録媒体のドライブ装置にて、光記録媒体個々にレーベル情報（表記）を、主情報を破壊することなく記録し、或いは消去し、書き換えをすることができる。
また、光記録媒体の内容によりレーベル情報を自動更新して表示することもでき、カートリッジがない両面記録光記録媒体等にもレーベル表記を行うことができる。
【図面の簡単な説明】
【図１】本発明に係る光記録媒体の一例である光ディスクを示す部分拡大断面図である。
【図２】光ディスクを示す平面図である。
【符号の説明】
１Ａ，１Ｂ…透明保護層、２Ａ，２Ｂ，４Ａ，４Ｂ…保護膜、３Ａ…第１主情報記録層，３Ｂ…第２主情報記録層、５Ａ，５Ｂ…熱拡散層、６Ａ…第１基板、，６Ｂ…第２基板、７Ａ…第１レーベル記録層，７Ｂ…第２レーベル記録層、８Ａ…第１反射層，８Ｂ…第２反射層、９…嫌気性接着剤、Ｄ…光ディスク（光記録媒体）。
【図１】
2004095099.tif 000003
【図２】
2004095099.tif 000004